(57)【特許請求の範囲】
【請求項１】
取付基板の前面に一対の可動翼片を起立および傾動自在に軸支すると共に、その可動翼片の前方にカバーを設け、前記取付基板の裏面には電磁石と、前記電磁石固定用の裏カバーと、前記電磁石の励磁動作により吸引されて上向きに回動し起立した前記可動翼片を傾動する可動板と、前記電磁石の消磁に伴ない前記可動板を下向きに回動付勢して前記可動翼片を起立位置に保持するばね部材とを設けてなるパチンコ球受口器において、
前記ばね部材は、取付板部と該取付板部の下端から前方へ屈曲するばね片を一体に有し、前記ばね片は、細長板状に形成されており、かつ前記可動板の上面の両側に位置するように間隔をあけて一対設けられ、前記取付板部を前記電磁石の後面に当てがって前記裏カバーと一体に前記電磁石に固着すると共に、前記各ばね片を前記電磁石と前記可動板との間の間隙に臨ませて該可動板の上面の両側に位置させてなることを特徴とするパチンコ球受口器。
【請求項２】
前記電磁石のケース体後面の下端両側に前記可動板が吸引されて上向き回動したとき、該可動板の左右方向のガタつきを阻止するための小突起を設けてなることを特徴とする請求項１記載のパチンコ球受口器。
【発明の詳細な説明】
【０００１】
【産業上の利用分野】
本発明は、取付基板の前面に一対の可動翼片を起立および傾動自在に設けると共に、取付基板の裏面に電磁石と該電磁石の励磁動作により吸引されて回動し起立した可動翼片を傾動する可動板を設けてなるパチンコ球受口器に関するものである。
【０００２】
【従来の技術】
従来、パチンコ球受口器として、取付基板の前面に一対の可動翼片を起立および傾動自在に軸支すると共に、取付基板の裏面に電磁石と該電磁石の励磁動作により吸引されて回動し起立した可動翼片を傾動する可動板を設けてなる構成を有するものが知られていた（例えば特開平５−１８４７１５号公報参照）。
【０００３】
このような構成からなるパチンコ球受口器は、電磁石が消磁しているとき該電磁石と可動板との間の間隙に介装したばね片により可動板が下向きに回動付勢されると共に、該可動板の係合片が可動翼片の係合凹部に接触係合して該可動翼片を起立位置に保持し、電磁石が励磁されると可動板が吸引されてばね片の付勢に抗して上向きに回動し、これの係合片が可動翼片の係合凹部の上端部分に当接して外方へ押動し該可動翼片を傾動するようになっていた。
【０００４】
【発明が解決しようとする課題】
上記した従来のパチンコ球受口器のばね片の取付けは、可動板の片側に切溝を入れ、該切溝にばね片の一端を係止するようにしていた。このため可動板に切溝を入れるという余分な加工を必要としたり、ばね片を切溝に係止する作業に手間が掛かってコスト高になるという問題点があった。また、電磁石による可動板の吸引時の衝撃によつてばね片が脱落したり、該ばね片が可動板の片側に片寄って位置されているため可動板に対して安定した付勢作用が望めないという問題点があった。
【０００５】
本発明は、従来技術の有するこのような問題点にかんがみてなされたものであり、その目的とするところは、可動板を付勢するばね部材の取付けを容易にすると共に、全体構造を小型化することができるようなパチンコ球受口器を提供しようとするものである。
【０００６】
【課題を解決するための手段】
上記目的を達成するために、本発明は、取付基板の前面に一対の可動翼片を起立および傾動自在に軸支すると共に、その可動翼片の前方にカバーを設け、取付基板の裏面には電磁石と、該電磁石固定用の裏カバーと、該電磁石の励磁動作により吸引されて上向きに回動し起立した可動翼片を傾動する可動板と、該電磁石の消磁に伴ない可動板を下向きに回動付勢して可動翼片を起立位置に保持するばね部材とを設けてなるパチンコ球受口器において、前記ばね部材は、取付板部と該取付板部の下端から前方へ屈曲するばね片を一体に有し、取付板部を電磁石の後面に当てがって裏カバーと一体に電磁石に固着すると共に、ばね片を電磁石と可動板との間の間隙に臨ませて該可動板の上面に位置させるようにしたものである。
【０００７】
そして、可動板に対する付勢作用が片寄ることなく均一に付与されるようにするため、ばね部材のばね片を細長板状に形成すると共に、可動板の上面の両側に位置するように間隔をあけて一対設けることが効果的である。
【０００８】
また、同様の目的で電磁石のケース体後面の下端両側に可動板が吸引されて上向き回動したとき、該可動板の左右方向のガタつきを阻止するための小突起を設けることが好ましい。
【０００９】
【作用】
上記のように構成されたパチンコ球受口器のばね部材の取付けは、該ばね部材のばね片を電磁石の後方から該電磁石と可動板との間の間隙に臨ませると共に、取付板部を電磁石の後面に当てがつてビスにより裏カバーと一体に固着することにより達せられる。これによって、ばね片が可動板の上面に正しく位置することになり、可動板を確実に付勢するように機能する。
【００１０】
また、対をなすばね片および小突起は、可動板が吸引されて上向き回動したとき、該可動板の左右方向のガタつきを阻止して可動翼片を左右対称に正しく傾動するように機能する。
【００１１】
【実施例】
以下、本発明に係るパチンコ球受口器の一実施例を図面に基づいて説明する。図１は本発明に係るパチンコ球受口器の正面からの斜視図、図２は同じく裏面からの斜視図、図３は分解斜視図、図４は中央縦断側面図である。図において、１は取付基板であって、これの下方に球入口２を設け、該球入口２の両側に後述する係合片のガイド長孔３，３を設けている。
【００１２】
４，４は球入口２の前面両側に配設される左右一対の可動翼片であって、これの下端に支持ピンの挿入孔５，５が設けられている。また、可動翼片４，４の後面であり、かつ挿入孔５，５より内側位置に係合凹部６，６が形成されている。
【００１３】
７はカバーであって、その前面板７ａの裏面に支持ピン８，８と球入口２にパチンコ球を導く誘導底部７ｂが形成されている。このカバー７は支持ピン８，８に可動翼片４，４の挿入孔５，５を通して支持させると共に、取付基板１の前面にねじ９，９により締着して取付けられる。これによって、可動翼片４，４が球入口２の前面両側に起立および傾動自在に軸支されることになる。１０，１０は支持ピン８，８の後端を支持する受孔である。
【００１４】
前記取付基板１の裏面には球入口２と連通状の通路部１１を有する電磁石の取付枠１２と裏カバーの取付用突起１３，１３とが一体に形成されている。また、取付基板１の前面であり、かつ球入口２の両側には通路部１１と一体にガイド枠片１４，１４が形成されており、該ガイド枠片１４，１４によつて可動翼片４，４間に入ったパチンコ球を確実に通路部１１へ誘導するようになっている。
【００１５】
１５は電磁石、１６は電磁石１５の下方に対設された磁性体からなる可動板、１７は該可動板１６を付勢するばね部材である。前記可動板１６は図７に示すようにこれの後端の溝状の係合孔１８を電磁石１５のケース体１９下端に突設した係合突片２０，２０に嵌挿すると共に、該係合突片２０，２０を折曲げることによって上下方向へ回動可能なように支持されている。この可動板１６の前端両側には係合片１６ａ，１６ａが一体に形成されている。また、ケース体１９後面の下端両側には、可動板１６の上面と僅かに間隔を離して対峙するように小突起１９ａ，１９ａが設けられている。
【００１６】
前記ばね部材１７は垂直状の取付板部２１と該取付板部２１の下端から前方へ屈曲する左右一対のばね片２２，２２とを一体に備えて薄鋼板により形成されている。そして、取付板部２１には電磁石１５のケース体１９の後面に突設した位置決め用の突起２３，２３に嵌合する小透孔２４，２４と該ケース体１９の後面に設けたねじ孔２５，２５に合致するねじ挿通孔２６，２６が穿設されている。また、ばね片２２，２２は細長板状に形成されており、これの基部２２ａ，２２ａをＵ字形に曲げ加工することによって復帰弾性が付与されている。
【００１７】
２７は電磁石１５を取付枠１２に固着するための裏カバーであって、左右の側板２７ａ，２７ａと後面板２８と可動板１６の下面を受ける棚部２９とを有し、後面板２８にはケース体１９の後面の突起２３，２３に嵌合する小透孔３０，３０とねじ孔２５，２５に合致するねじ挿通孔３１，３１が設けられている。また、左右の側板２７ａ，２７ａの下部には取付用突起１３，１３に嵌合する筒部３２，３２が設けられている。
【００１８】
前記ばね部材１７は、図８に示すようにこれのばね片２２，２２を電磁石１５のケース体１９下端と可動板１６との間の間隙に後方から臨ませると共に、取付板部２１の小透孔２４，２４を突起２３，２３に嵌めてケース体１９の後面に当接させる。これによつて、取付板部２１のねじ挿通孔２６，２６とケース体１９のねじ孔２５，２５とが合致すると共に、左右一対のばね片２２，２２が電磁石１５の中心のコイルボビン１５ａ付近を避けて可動板１６の上面の両側に正しく位置されることになる。
【００１９】
この状態で電磁石１５を取付枠１２に嵌めて該電磁石１５の前面を取付基板１裏面に当接させると共に、裏カバー２７を電磁石１５の後面に嵌め、ねじ３３，３３をねじ挿通孔３１，３１からケース体１９のねじ孔２５，２５に螺合して締着し、さらに、裏カバー２７の筒部３２，３２を取付用突起１３，１３に嵌めて該裏カバー２７をねじ３４，３４で取付基板１に固着する。これによって、ばね部材１７と電磁石１５とが裏カバー２７と一体に取付基板１に確固と取付けられることになる。そして、可動板１６の係合片１６ａ，１６ａを取付基板１のガイド長孔３，３から前面側に突出させて可動翼片４，４の係合凹部６，６に臨ませる。
【００２０】
このようにして電磁石１５に取付けられたばね部材１７は、可動板１６の上面の両側に位置するばね片２２，２２によって該可動板１６を片寄らせることなく均等に下向き（図４において反時計廻り方向）に回動付勢する。このため、可動板１６の係合片１６ａ，１６ａが図５に示すように可動翼片４，４の係合凹部６，６の対向内面６ａ，６ａに接触係合して該可動翼片４，４を起立位置に保持する。そして、可動翼片４，４が起立しているとき、電磁石１５が励磁されると可動板１６がばね部材１７の付勢に抗して図４鎖線のように上向き（時計廻り方向）に回動する。この際に可動板１６の上面がケース体１９の小突起１９ａ，１９ａに当接することになり、該可動板１６の左右方向のガタつきが阻止されることになる。これによって、係合片１６ａ，１６ａが片寄ることなく均等に可動翼片４，４の係合凹部６，６の上端部分に当接して外方へ押動するため、該可動翼片４，４が図６に示すように支持ピン８，８を支点として左右対称に正しく傾動する。
【００２１】
なお、本実施例では可動翼片４，４間に入ったパチンコ球をカバー７の誘導底部７ｂに受けて球入口２から取付基板１の後方へ導くものとして説明したが、カバー７の底部を開放して可動翼片４，４間に入ったパチンコ球を直接に下方へ通過させるような通過式のパチンコ球受口器であってもよい。
【００２２】
【発明の効果】
以上説明したように、本発明に係るパチンコ球受口器は、電磁石の下方に対設した可動板を付勢するばね部材を電磁石の後面に当接する取付板部と、該電磁石と可動板との間の間隙に臨ませて可動板の上面に位置させるばね片とにより構成し、該ばね部材を電磁石固定用の裏カバーにより電磁石の固定と同時的に取付けるようにしたものであるから、ばね部材を取付けるための格別な手間を必要としないため、パチンコ球受口器の組立て作業を著しく簡略化することができる。
【００２３】
また、ばね部材のばね片を電磁石と可動板との間の間隙に後方から臨ませるようにしたものであるから、電磁石と可動板との対応位置関係が自由に設定でき、パチンコ球受口器を小型化することができる。
【００２４】
さらに、ばね部材のばね片を間隔をあけて左右一対設けることにより、可動板の全体を均一に付勢することができ、該可動板の作動を円滑かつ確実に行わせることができる。
【００２５】
また、電磁石のケース体後面の下端両側に設けた小突起によって可動板が吸引されて上向き回動したとき、該可動板の左右方向のガタつきを阻止することができ、これによって、可動翼片を左右対称に正しく傾動させることができる。
【図面の簡単な説明】
【図１】本発明に係るパチンコ球受口器の正面からの斜視図である。
【図２】図１のパチンコ球受口器の裏面からの斜視図である。
【図３】図１のパチンコ球受口器の分解斜視図である。
【図４】図１のパチンコ球受口器の中央縦断側面図である。
【図５】一部断面にして可動翼片の起立状態を示す正面図である。
【図６】一部断面にして可動翼片の傾動状態を示す正面図である。
【図７】電磁石に対する可動板の取付け状態を示す斜視図である。
【図８】電磁石に対するばね部材の取付け状態を示す斜視図である。
【符号の説明】
１                取付基板
４，４            可動翼片
７                カバー
１５              電磁石
１６              可動板
１７              ばね部材
１９              ケース体
１９ａ，１９ａ    小突起
２１              取付板部
２２，２２        ばね片
２７              裏カバー
【図１】
0003585543.tif 000002
【図２】
0003585543.tif 000003
【図３】
0003585543.tif 000004
【図４】
0003585543.tif 000005
【図５】
0003585543.tif 000006
【図６】
0003585543.tif 000007
【図７】
0003585543.tif 000008
【図８】
0003585543.tif 000009